(57)【要約】【課題】オンザロックなど酒類の飲用に際し、透明度の高い、球状の氷を得る。【解決手段】製氷器の内部に断熱材等により温度勾配を設定し、同一水中に球状の製氷分離部を水没させ、温度勾配において、より高い温度設定位置から隔離する。【選択図】　図３
2004045002.tif 000002
【特許請求の範囲】
【請求項１】
製氷器の外部周辺の任意の位置に、断熱材などにより温度勾配を設定し、当該製氷器内の水中において、製氷となる材料の水の中にアルミ等の金属あるいは合成樹脂よりなる任意の形状の製氷分離部を同一水中に水没した状態で設けることにより、同一の水中内部に温度差を有する階層を構成し、本製氷分離部を、より低い温度勾配設定の位置に、温度勾配において高い位置から離して設置したことを特徴とする、透明度の高い任意の形状の氷を得る方法。
【請求項２】
請求項１の透明度の高い氷を得る方法において、製氷器内部に、アルミ等の金属あるいは合成樹脂よりなる上下突き合わせの球形の製氷分離部を、上部に空気抜き穴を有する半球上部と水の出入り口を有する半球下部により構成させ、しかる後、当該製氷分離部を製氷に用いる水の中に水没させ、同時に、水没位置に設置するための円筒形の位置保持部により、当該製氷器内部に製氷器内の水と製氷分離部内の水とは異なる温度差を同位置保持部内に構成したことを特徴とする透明度の高い球状の氷を得る製氷器。
【請求項３】
請求項１の透明度の高い氷を得る方法において、製氷器内部に、アルミ等の金属あるいは合成樹脂よりなる上下突き合わせの球形の製氷分離部を、上部に空気抜き穴を有する半球上部と水の出入り口を有する半球下部により構成させ、しかる後、製氷に用いる水の中に水没させ、同時に、水没位置に設置するための一連のつば部により、上面の水と下面の水とを分離せしめ、製氷分離部によってのみ、水の疎通、対流が行われることを特徴とした透明度の高い球状の氷を得る製氷器。
【発明の詳細な説明】
【０００１】
【発明の属する技術分野】
本発明は、ウィスキーなど酒類をオン・ザ・ロックのような氷を用いた飲用に供する場合の、氷の製法に関するものである。
【０００２】
【従来の技術】従来、大きな氷の固まりをアイスピックなどを用いて、逐一角をとり、球状に成形して用いるのが常であり、より球形に近いほど良好とされた。また、家庭用では一般の冷蔵庫において製氷室で製氷した通常の氷を用いる。
【０００３】
【発明が解決しようとする課題】一般のバー、スナックなどでオン・ザ・ロックなどの提供を行おうとすると、逐一熟練したバーテンダーなどが一個づつアイスピックで成形を行わねばならず、技術的に大変であった。
【０００４】同時に、オン・ザ・ロック用の透明度の高い氷は、角氷の中から透明度の高い部分を選んで取り出す必要があった。
【０００５】このため家庭用では、このような氷を得ることは不可能であった。
【０００６】
【課題を解決するための手段】
上記の問題点を解決するために本発明の製氷技術にあっては、製氷器の構造において断熱材等の施工を施し、本体の水内部に温度勾配を設定し、同時に製氷となる水に製氷分離部を水没させて製氷過程での時間差を得るのである。
【０００７】製氷器の周辺に、上部より下部にいたる断熱材、あるいは製氷器素材の肉厚を任意に増やし、内部に温度勾配を設け、製氷器の上部から逐次製氷化を起こさせるのである。
【０００８】製氷分離部を、断熱材などにより温度勾配を有した製氷器内部のより温度の高い位置から離して、より低い温度勾配の部位に位置せしめるのである。
【０００９】この際、製氷に用いる水の内部に、当該製氷分離部を水没させて位置せしめるのである。
【００１０】当該製氷分離部は、水没させるための上部開口部と下部の水出入り用開口部を有し、製氷工程での水の移動を可能とするのである。
【００１１】また製氷分離部は、アルミ等の金属、あるいは合成樹脂により構成され、製氷となるべき水全体の内部で、温度格差を有して水を分離するのである。
【００１２】さらには、当該製氷分離部を水没した位置に固定する位置保持部は同保持部の素材、肉厚により円筒形内部にも、周辺との温度格差を設定するのである。
【００１３】当該製氷分離部は、上下の二分割に構成され、内部に製氷後は、これを製氷器本体より取り出し上下に分割して内部の氷を取り出すのである。
【００１４】
【発明の実施の形態】
以下、本発明の実施の形態を実施例にもとづき、図面を参照して説明する。
図１は、本発明における製氷分離部１を説明する斜視図である。当該製氷分離部１は半球からなる半球上部２と半球下部３から構成され、互いにつきあわせて当該製氷分離部１の球をなす。
【００１５】当該製氷分離部１の半球上部２には、その上部に空気抜き穴６が設けられ、当該製氷分離部が製氷をなす材料の水中に没する際の、製氷分離器内部の空気を排出するために設けられている。
【００１６】当該製氷分離部１の半球下部３の底面には、水没した製氷分離部の内部の水が外部に疎通できる水の出入り口７を有する
【００１７】図２は、請求項２の製氷分離部１と円筒形からなる位置保持部４との組み合わせを示す参考斜視図である。図中製氷分離部１は、位置保持部４に支えられて、製氷器の温度勾配の所要位置に固定される。
【００１８】図３は、請求項２の製氷器９内部における製氷分離部１と位置保持部４の位置関係を示す実施例の断面図である。図中製氷分離部１は、製氷に用いる水に完全に水没し、その水面は８の位置にあることを示す。
【００１９】図４は、請求項２の実施例を示す斜視図である。図中製氷分離部１は、製氷器９の内部に突起して設けられた複数の位置保持片１０により当該製氷器内部の温度勾配における温度の低い位置に固定される。
【００２０】製氷器内部に設定される温度勾配とは、当該製氷器外部に設けられた断熱材、製氷器素材などにより、当該製氷器の外部の温度との格差が当該製氷器内部において順次一連の温度格差を有していることを意味する。
【００２１】このため図５の上部の水温は、外部の冷気に対し下部の水温より冷やされ易く、逆に順次底部にいくほど冷えにくく、温度差が設定されるのである。本発明にあっては、かかる上面と下面の温度差でなく、その間の逐次の温度変化が有効であり、製氷器９そのものに温度勾配を設けるのである。
【００２２】図６は、請求項２の製氷器の斜視図である。図中製氷器の水を入れる内部には、所要位置に、製氷分離部１を固定する位置保持片１０が設けてある。
【００２３】図７は、請求項２の製氷器の断面図である。
【００２４】図８は、請求項３の製氷器の実施例を示す斜視図である。図中製氷分離部を固定する一連のつば部１１は、その上部に製氷分離部１を乗せることで当該製氷分離部１を固定するのであるが、つば部１１が一連の隙間のない形状に構成されているので、当該製氷分離部１により遮断された製氷器９内部の水は共に対流などの動きを制され、互いに製氷分離部１内部を通過する以外混じり合うことはないのである。
【００２５】このため、製氷器上部から逐次冷やされて凍結していく水は、順次製氷分離部１の水を介して、上部より順次結晶化していくのである。
【００２６】このため、水中の空気は上部から凍るにつれて徐々に製氷分離部１を介し、製氷器９下部へ移行し、結果、製氷分離部１の氷は空気を含まない透明度の高い氷となるのである。
【００２７】当該製氷器９により所要の透明度の高い氷を得た後は、製氷器９内部が総て凍らない内に、製氷分離部１を取り出し、この内部から目的の氷を取り出すのである。
【発明の効果】
本発明は、以上説明したように構成されているので、以下に記載されような効果を奏する。
【００２８】本発明は、製氷分離部を製氷に用いる水の中に水没させるため、当該製氷分離部内部から外部の空気を一掃でき、より空気を含まない真円に近い球形の氷を得ることが出来る。
【００２９】製氷器の周辺に断熱材等で温度勾配を設定したので、製氷器内の凍結する氷は、逐次温度勾配の環境下で、順次一方から凍結するのである。このため、製氷分離部内では空気を含まない製氷が行われ、当該製氷分離部内の水中の空気は、下部のまだ凍らない部分へ移行するのである。
【００３０】本発明の製氷器内部では、円筒形の位置保持部となしたので、円筒形内部と製氷器内部の水の温度勾配が設定でき、製氷器本体の温度勾配に加え有効な効果を得ることが出来る。
【００３１】更には、製氷器本体が有する温度勾配に加え、製氷分離部内部と製氷器内部との水を一連のつばで隔離したので、さらに有効な温度勾配による凍結の分離が行えるのである。
【図面の簡単な説明】
【図１】製氷分離部の斜面、透視図である。
【図２】製氷分離部と位置保持部の組み合わせ斜面図である。
【図３】製氷器と製氷分離部、位置保持部の縦断面図である。
【図４】製氷器と製氷分離部を示す斜面図である。
【図５】製氷器と製氷分離部を示す縦断面図である。
【図６】製氷器を示す斜面図である。
【図７】製氷器を示す縦断面図である。
【図８】製氷器を示す斜面図である。
【図９】製氷器を示す縦断面図である。
【符号の説明】
１　製氷分離部
２　製氷分離部半球上部
３　製氷分離部半球下部
４　位置保持部
５　製氷分離部の合わせ目
６　空気抜き穴
７　水の出入り口
８　水面
９　製氷器
１０　位置保持片
１１　一連の位置保持つば
【図１】
2004045002.tif 000003
【図２】
2004045002.tif 000004
【図３】
2004045002.tif 000005
【図４】
2004045002.tif 000006
【図５】
2004045002.tif 000007
【図６】
2004045002.tif 000008
【図７】
2004045002.tif 000009
【図８】
2004045002.tif 000010
【図９】
2004045002.tif 000011